(57)【要約】 【課題】  鉄筋コンクリート構造体の構築に使用する両型枠を支持固定するとともに、型枠解体後に鉄筋コンクリート構造体の躯体の外壁面へ取り付けられる断熱材等の外断熱体の取着を、その自由度を広範に、かつ、工期を短縮したセパレータ構造を提供すること。【解決手段】  軸棒１の一端側のネジ部２に盤体３を螺着し、他端側のネジ部２にアンカーブラケット４の内方側の一部が螺着され、外方側には外断熱体（図外）を取り付ける取付金具５が止めネジ軸１４を突出して嵌合螺着される。【選択図】図１
2007023536.tif 000002
【特許請求の範囲】
【請求項１】
両端に配設される型枠固定部と、両型枠固定部に螺着されるネジ部を両端に設けた軸棒とからなるセパレータにおいて、
軸棒の一端側ネジ部に螺着される型枠固定部が所要外形、所要厚の盤体からなり、他端側ネジ部に螺着される型枠固定部が縦断面太鼓形のブラケット本体の両端にそれぞれ背の低い内フランジと外方から所要の凹部が横設された背の高い外フランジとを一体にし、内側から前記凹部の底面に貫設して前記ネジ部に螺着する小ネジ孔と、該小ネジ孔より大径の大ネジ孔とが螺設されて成るアンカーブラケットから成り、所要径のフランジの一側に前記大ネジ孔に螺合する大ネジ軸を突設し、他側に止めネジ軸を突設し、前記フランジに回転手段を配設した取付金具を、その大ネジ軸を前記アンカーブラケットの大ネジ孔に螺合するとともに、フランジを凹部に嵌着し振れ止めして成るセパレータ構造。
【発明の詳細な説明】
【技術分野】
【０００１】
本発明は、コンクリート打設時の型枠支持に使用されるとともに、型枠解体後に鉄筋コンクリート構造体の躯体の外壁面に外断熱体を接合できるセパレータ構造に関する。
【背景技術】
【０００２】
型枠固定部と該型枠固定部をその両端部に位置決めする軸棒とから成るセパレータ構造と、型枠により構築される鉄筋コンクリート構造体が、型枠解体後の躯体の外壁面に外断熱体等を接合した技術は、特開平８−１０５１８１号公報（特許文献１）、特開平１０−２１９８９１号公報（特許文献２）及び特開２００４−３６１３７号公報（特許文献３）に開示されている。
特許文献１に開示された技術は、型枠固定部２に接合される支持具Ｃ、Ｄを要する上、支持具Ｃ、Ｄを固定するボルト３が限定され、外付けの外断熱体等への取付け自由度が狭い。
特許文献２に開示された技術は、セパレータ１２の支持桿１３に螺合するねじ継手４の配設に手間取る。
特許文献３に開示されたコンクリートアンカーは、樹脂製の台座４の下端に管状ボルト８が植設されるとともに、管状ボルト８にボード固定用管状ナット１１が外嵌螺合され、その上端にはセパレータ軸９を螺合する管状ナットが螺合されるので構造が複雑で型枠の組立てに手間を要する。
【特許文献１】特開平８−１０５１８１号公報
【特許文献２】特開平１０−２１９８９１号公報
【特許文献３】特開２００４−３６１３７号公報
【発明の開示】
【発明が解決しようとする課題】
【０００３】
本発明は鉄筋コンクリート構造体の構築に使用する両型枠を支持固定するとともに、型枠解体後に鉄筋コンクリート構造体の躯体の外壁面へ取り付ける断熱材等の外断熱体の取着を、その自由度を広範に、かつ、工期を短縮したセパレータ構造を提供する。
【課題を解決するための手段】
【０００４】
上記課題を解決するために、本発明のセパレータ構造は、両端に配設される型枠固定部と、両型枠固定部に螺着されるネジ部を両端に設けた軸棒とからなるセパレータにおいて、
軸棒の一端側ネジ部に螺着される型枠固定部が、所要外形、所要厚の盤体からなり、他端側ネジ部に螺着される型枠固定部が、縦断面太鼓形のブラケット本体の両端に背の低い内フランジと、外方から所要の凹部が横設された背の高い外フランジとを一体にし、内側から前記凹部の底面に貫設して前記ネジ部に螺着する小ネジ孔と、該小ネジ孔より大径の大ネジ孔とが螺設されて成るアンカーブラケットから成り、所要径のフランジの一側に前記大ネジ孔に螺合する大ネジ軸を突設し、他側に止めネジ軸を突設し、前記フランジに回転手段を配設した取付金具を、その大ネジ軸を前記アンカーブラケットの大ネジ孔に螺合するとともに、フランジを凹部に嵌着し、振れ止めして成る。
【発明の効果】
【０００５】
本発明のセパレータ構造によれば、一側の型枠を支持固定するアンカーブラケットが、その外側に外断熱体を取り付ける取付金具を螺合するものであるため、外断熱体の取付け孔に対応して取付金具の止めネジ軸を選択できるから、外断熱体の取付け自由度が広範となる上、該取付金具のフランジがアンカーブラケットの凹部に嵌合するため取付金具の振れ止めがなされ、外断熱体の取付け強度が増強され耐久性が向上する。また、構造が簡易であるから型枠組立てや外断熱体の接合も単純となって作業工程も短縮されて工期の短縮が図られ、作業の単純化による作業能率も向上し、製造単価も安価に提供できる。
【発明を実施するための最良の形態】
【０００６】
本発明のセパレータ構造におけるアンカーブラケットに螺着される取付金具は、そのフランジに回転手段として回し孔を穿孔するものから、外方へ突出する止めネジ軸の金具本体に切欠き二面幅部を形成したものなどであり、止めネジ軸は大小各種のネジ径が選択されて準備される。
【実施例】
【０００７】
本発明を実施例により説明すると、図１に示すように、軸棒１の一端側のネジ部２に所要外形（六角形や円形で一部に二面幅部を切欠いた形状等）、所要厚の盤体３を螺着し、他端側のネジ部２にアンカーブラケット４の内方側の一部が螺着され、外方側には外断熱体（図外）を取り付ける取付金具５が螺着される。アンカーブラケット４は図２に示すように、縦断面太鼓形のブラケット本体６の両側に背の低い内フランジ７と、外方から所要の凹部８が横向きに凹設された外フランジ９とが一体にされ、内側から凹部８の底面に向けてネジ部２に螺着される小ネジ孔１０と小ネジ孔１０に連通する大径の大ネジ孔１１とが螺設されて成る。
アンカーブラケット４の外方側に螺着される取付金具５は、図３に示すように、外フランジ９の凹部８に内嵌する外径のフランジ１２の一側に大ネジ孔１１に螺合する大ネジ軸１３を突設し、他側に止めネジ軸１４を突設して成り、アンカーブラケット４に対して大ネジ軸１３を大ネジ孔１１に螺合するとともに、フランジ１２を凹部８に嵌合して、取付金具５に負荷される荷重による上下方向の変位がフランジ１２の外周と凹部８の内周との嵌合によって振れ止めが確保される。
取付金具５のアンカーブラケット４への取付けにおいては、分図（ｂ）に示すように、回転手段として上下に貫設した長孔の回し孔１２aを介して二股のハンドル（図外）で回転して大ネジ軸１３を大ネジ孔１１に螺合する。
【０００８】
このようにして成るセパレータ構造Ａは、図６に示すように、左右のネジ部２と止めネジ軸１４に型枠１５が挿通され、ネジ部２と止めネジ軸１４の各外端からネジ軸１６を突設した軸状ナット１７がそれぞれ螺合され、各型枠１５の外面に沿わせた縦パイプ又は横パイプなどの押さえ金１８をフォームタイ（登録商標）１９で押さえ、ネジ軸１６に螺合したナット２０で締め付け固定して型枠１５の接合がなされ、適宜な鉄筋の配筋状態でコンクリートが打設されて鉄筋コンクリート構造体２１が構築される。
このようにして構築された鉄筋コンクリート構造体２１は、図７に示すように、両側の型枠１５が解体され、軸棒１の一端側のネジ部２には内装材（図外）が接合され、取付金具５の止めネジ軸１４には断熱材や外装材等の外断熱体（図外）が挿通されて適宜なナットで接合される。
【０００９】
この他、鉄筋コンクリート構造体２１の躯体の外壁面に外断熱体（図外）を接合する工程で使用する取付金具５としては、図４に示すように、アンカーブラケット４の凹部８に嵌着する円形の嵌着部２２から円錐状の金具本体２３を一体にし、金具本体２３の一部に対向して切欠き二面幅部２４を形成するとともに、一側にはアンカーブラケット４の大ネジ孔１１に螺合する大ネジ軸１３を突設し、他側に座金２５を嵌着した止めネジ軸２６を突設して成るものも提供される。
この態様の取付金具５は図５に示すように、セパレータ構造Ａのアンカーブラケット４に対して大ネジ孔１１に大ネジ軸１３が螺合され、外フランジ９の凹部８に嵌着部２２が嵌着されて、前記のように振れ止めされて接合され、鉄筋コンクリート構造体２１の躯体の外壁面と座金２５の間に外断熱体（図外）が設けられ、ナットで締め付け固定される。この場合、外断熱体（図外）の自重や風圧等による負荷に対し、振れ止め作用によってその取付け強度を強固にして対応でき、円錐状の金具本体２３の形状により耐久性が向上する。
【産業上の利用可能性】
【００１０】
本発明のセパレータ構造は、一端部のネジ部に盤体を螺着した軸棒と、軸棒の他端部に螺着されるアンカーブラケットと、アンカーブラケットに一端部を螺着して止めネジ軸を突出した取付金具とから成る簡易構造であるから、型枠の解体後直ちに外壁材の取付けができるので鉄筋コンクリート構造体の構築の工期短縮が図られ、取付金具がアンカーブラケットに対して振れ止め状態で嵌着されるから耐久性も向上し、外方の止めネジ軸が大小準備され得るから各種の外断熱体の接合に対応でき、利用の自由度が広範となるなどその需要は大いに期待される。
【図面の簡単な説明】
【００１１】
【図１】本発明に係わるセパレータ構造Ａの説明図。
【図２】アンカーブラケット４の説明図で、分図（ａ）はその正面図、分図（ｂ）はその右側面図。
【図３】取付金具５の説明図で、分図（ａ）はその正面図、分図（ｂ）はその右側面図。
【図４】他の実施態様における取付金具５の説明用正面図。
【図５】同上取付金具５をアンカーブラケット４に接合した状態の説明図。
【図６】セパレータ構造Ａによる型枠組立ての説明図。
【図７】型枠解体後の鉄筋コンクリート構造体２１の一部を示す説明図。
【符号の説明】
【００１２】
１：軸棒
２：ネジ部
３：盤体
４：アンカーブラケット
５：取付金具
６：ブラケット本体
７：内フランジ
８：凹部
９：外フランジ
１０：小ネジ孔
１１：大ネジ孔
１２：フランジ
１２a：回し孔
１３：大ネジ軸
１４、２６：止めネジ軸
１５：型枠
１６：ネジ軸
１７：軸状ナット
１８：押さえ金
１９：フォームタイ（登録商標）
２０：ナット
２１：鉄筋コンクリート構造体
２２：嵌着部
２３：金具本体
２４：切欠き二面幅部
２５：座金
Ａ：セパレータ構造
【図１】
2007023536.tif 000003
【図２】
2007023536.tif 000004
【図３】
2007023536.tif 000005
【図４】
2007023536.tif 000006
【図５】
2007023536.tif 000007
【図６】
2007023536.tif 000008
【図７】
2007023536.tif 000009